(57)【要約】      （修正有）【課題】無頭釘の打ち込み時に、ビットガイドに形成される射出溝とコンタクトアームに形成される射出溝を精度良く整列できる釘打機を提供する。【解決手段】ビットガイド５は略Ｖ字状の平板形状であって先端側から左右両側に竿部が分岐して延び、竿部の一方側で連結アームに接続され、コンタクトアーム５を被打込み材に押し付けた時に、竿部の一方側で射出方向に生ずる付勢力によってコンタクトアーム５に回転力６６が作用し、回転力６６によってビットガイド１２とコンタクトアーム１２が有する左右方向の隙間のうちいずれかの一方側だけを突き当て５７ａ、５７ｂ、５７ｃ、突き当てた際に固定射出溝３６と移動射出溝３７が整列するようにした。【選択図】図５
2010064235.tif 000002
【特許請求の範囲】
【請求項１】
釘を打撃するドライバブレードを有する打撃駆動手段と、
前記ドライバブレードにより打撃される前記釘を案内する固定射出溝を有するビットガイドと、
前記ビットガイドに固定され前記固定射出溝に連結され、前記釘を給送するマガジンと、
前記ドライバブレードの移動方向に移動可能であり、射出される前記釘の移動射出溝が形成されたコンタクトアームと、トリガの操作に従い前記コンタクトアームを射出方向に付勢する連結アームを有し、前記コンタクトアームを被打込み材に接触させながら前記釘の打ち込みを行う釘打機において、
前記ビットガイドは略Ｖ字状の平板形状であって先端側から左右両側に竿部が分岐して延び、該竿部の一方側で前記連結アームに接続され、
前記コンタクトアームを前記被打込み材に押し付けた時に、前記竿部の一方側で射出方向に生ずる付勢力によってコンタクトアームに回転力が作用し、該回転力によってビットガイドとコンタクトアームが有する左右方向の隙間のうちいずれかの一方側だけを突き当て、突き当てた際に前記固定射出溝と前記移動射出溝が整列するようにしたことを特徴とする釘打機。
【請求項２】
前記ビットガイドは、中央部先端が射出方向に突出する略Ｔ字状の形状であって、前記突出する前記固定射出溝の両側に沿って前記竿部が配置されるように、前記コンタクトアームと前記ビットガイドが配置されることを特徴とする請求項１に記載の釘打機。
【請求項３】
前記コンタクトアームに回転力が作用した際に、回転中心より下側においては作用点と同じ側の竿部で前記コンタクトアームと前記ビットガイドが当接し、回転中心より上側においては作用点と左右方向反対側の竿部で前記コンタクトアームと前記ビットガイドが当接するようにしたことを特徴とする請求項２に記載の釘打機。
【請求項４】
前記竿部の一方側で射出方向に付勢力が作用した際に、前記竿部の上側においては付勢力が作用する竿側と反対の側の竿部が前記ビットガイドと当接し、前記竿部の下側においては付勢力が作用する竿側と同じ側の竿部が前記ビットガイドと当接することを特徴とする請求項３に記載の釘打機。
【請求項５】
前記竿部の上側において当接する箇所は２箇所であり、前記竿部の下側において当接する箇所は１箇所であることを特徴とする請求項３に記載の釘打機。
【請求項６】
前記ビットガイドの固定射出溝の下端付近の左右両側は平行な外壁部を有し、前記コンタクトアームの竿部の下端付近内側は平行な内壁部を有し、射出時には、付勢力が作用する竿側の前記内壁と、該内壁に対応する前記外壁が当接することを特徴とする請求項４又は５に記載の釘打機。
【請求項７】
前記コンタクトアームと前記ビットガイドの間に、お互いが軸方向に離れる方向に付勢するスプリングを設けたことを特徴とする請求項６に記載の釘打機。
【発明の詳細な説明】
【技術分野】
【０００１】
本発明は、釘の打ち込み後にきれいな仕上りが要求される小頭径釘または釘頭の無い無頭釘を打ち込む釘打機に関する。
【背景技術】
【０００２】
建築内装の幅木、回り縁等の仕上げ建材等の取付部材を取り付ける方法は、取付部材を接着剤により接着した後に、釘頭の小さい小頭径の仕上用釘または釘頭の無い無頭釘を取付部材に設けられた比較的狭い幅の溝内に打ち込んで取り付けるのが一般的である。釘は、取付部材の外観色に合わせて釘の頭部を同色に着色すると共に取付部材の溝に打込むため小径のものが使用され、取付部材に傷や打痕が残らないように配慮してきれいな仕上りが要求される。小径の仕上用釘または釘頭の無い無頭釘を１本１本打ち出す釘打機においては、打ち込み作業時以外の釘の誤発射を防止するため、コンタクトアームを取付部材に押し付けた状態でないとトリガが有効とならないようにした釘打機が主流である。
【０００３】
従来の釘打機におけるコンタクトアームとして、例えば特許文献１に記載されたものがある。特許文献１では、釘打機の上端部は連動する連結アームがあり、先端部はビットガイドとコンタクトアームの両者の先端を揃えて重ね合わせて一体に固定して釘の打込み通路を形成し、ビットガイドとコンタクトアームの先端は取付部材の狭い溝内に入り、隅打ちもできるように先端に行くに従ってなるべく薄くかつ細く形成されている。また、セットプレートは釘打機本体に下方に向けて突き出し、マガジンと共に釘打機本体に固定され、コンタクトアームはこのセットプレートに対して上下方向に摺動可能に支持し、常にはコンタクトアームがセットプレートよりも相対的に下方に突き出された状態となるようスプリングにより付勢された構成となっていた。この構成によれば、コンタクトアームの先端部を、スプリングの付勢力に抗して取付部材に押し付け、コンタクトアームをセットプレートに対して相対的に上方へスライドさせることにより、連結アームが連動することで始めてトリガが有効になり、次にトリガを引き込み操作すれば釘が打込み通路を経てコンタクトアームの先端から発射されて取付部材に打ち込まれる。
【０００４】
釘打機を取付部材方向に押し付けることによって、コンタクトアームを移動させる方式の釘打機においては、押し付けの際に、無造作に必要以上の力で押し付けてしまい、薄く且つ細く形成されるコンタクトアームで取付部材に圧痕傷を残すことがあった。この問題を解消するために特許文献２に記載された技術が提案された。
【０００５】
特許文献２の構成においては、本体側に固定されたビットガイドの給送路の前方に位置するコンタクトアームの先端部を略平板状とすると共に、給送路内の先頭釘が打ち出される射出路をコンタクトアームに形成し、コンタクトアームを常時、本体側へ押圧する押圧手段を設けたもので、コンタクトアーム先端部を取付部材に軽く当てた状態で釘を打ち込むことが出来るためコンタクトアーム先端部による圧痕傷が付き難く、同時に、打ち込み動作の度に毎回コンタクトアームの上下移動操作を行う必要がないため作業性が良くなった。
【０００６】
【特許文献１】特開平７−２４６５７５号公報
【特許文献２】特開２００２−２８３２５３号公報
【発明の開示】
【発明が解決しようとする課題】
【０００７】
特許文献２の構成においては、コンタクトアームはビットガイドに対し隙間がないようにぴったりと当接されるが、実際にはこれらを摺動させる必要から一定の隙間を有しており、コンタクトアームを打込み時に取付部材へ押し付けるため連結アームの係合部を力点として傾き、コンタクトアームに設けられた釘の射出路がビットガイドの給送路からほんの僅かながら傾くことがあった。この現象は、無頭釘が短いものであれば問題とならないが、例えば４０ｍｍ以上の長い釘を使う場合には、釘はビットガイドの給送路の中心から傾いたコンタクトアームの射出路に平行に打ち込まれるため、途中で曲がって正常に打ち込まれなかったり、打ち込まれたとしてもドライブビットがビットガイドの給送路のほぼ中心を通りながら取付部材の表面に到達する。この結果、取付部材の表面に打ち込まれる釘とドライブビットによる傷の位置がずれて仕上りが悪くなるという問題が生ずる恐れがあった。
【０００８】
このような現象について図８及び図９を用いて説明する。図８（１）は、従来例による射出部を示す正面図であり、射出部の上側ガイドプレート及び下側ガイドプレートを外した状態を示し、（２）は無頭釘の形状を示す斜視図である。射出部は本体側に固定されたビットガイド１１２に形成された固定射出溝１３６と、上下方向に移動可能なコンタクトアーム１０５に形成された移動射出溝１３７を含んで形成される。ここで、コンタクトアーム１０５は上下方向に摺動可能であるが、摺動するためにはビットガイド１１２とコンタクトアーム１０５はできるだけ小さい隙間で、精度良く組み込まねばならない。
【０００９】
図９はビットガイド１１２とコンタクトアーム１０５の傾き状態を説明するための図である。図９（１）は、ビットガイド１１２とコンタクトアーム１０５が良好な状態で位置し、固定射出溝１３６と移動射出溝１３７の軸線が一致している状態を示している。従って、この状態では隙間１６１、１６２、１６３はほぼ均等に微少距離を置いて当接している（図９では、理解の容易のために間隔を極端に広く描いているが、実際の製品は必要最小限の隙間しか有しない）。
【００１０】
図９（２）は、付勢力１６５が作用してコンタクトアーム１０５がビットガイド１１２に対して傾いた状態を示している。この場合、隙間１６１と１６３がほぼゼロとなって当接し、隙間１６２が大きくなっている。このようにコンタクトアーム１０５が傾くと固定射出溝１３６と移動射出溝１３７の軸線は＋θ１だけ傾くことになる。図９（３）は、コンタクトアーム１０５が（２）と逆方向に傾いた状態を示し、隙間１６２と１６４がほぼゼロとなって当接し、隙間１６１と１６２が大きくなっている。図９（３）の場合は、固定射出溝１３６と移動射出溝１３７の軸線は−θ２だけ傾くことになる。
【００１１】
このように図８、図９に示した従来例の構造においては、コンタクトアーム１０５をビットガイド１１２に対して理想的に整列させることは難しく、どうしても傾きが生じるため、従来例の釘打機で用いられる釘よりも更に長い釘、例えば４０〜６０ｍｍの釘を打ち込もうとすると、正常に打ち込まれずに釘が曲がってしまったりすることがあった。
【００１２】
本発明は上記背景に鑑みてなされたもので、その目的は、打ち込まれる釘の曲がりを防止することができる釘打機を提供することである。
【００１３】
本発明の別の目的は、ビットガイドに形成される射出溝とコンタクトアームに形成される射出溝を、釘の打ち込み時に精度良く整列できる釘打機を提供することにある。
【００１４】
本発明のさらに別の目的は、釘を真っ直ぐに打ち込むことにより打込後の被打込み材の仕上り状態を良くした釘打機を提供することである。
【課題を解決するための手段】
【００１５】
本願において開示される発明のうち、代表的なものの特徴を説明すれば、次の通りである。
【００１６】
本発明の一つの特徴によれば、釘を打撃するドライバブレードを有する打撃駆動手段と、ドライバブレードにより打撃される釘を案内する固定射出溝を有するビットガイドと、ビットガイドに固定され固定射出溝に連結され、釘を給送するマガジンと、ドライバブレードの移動方向に移動可能であり、射出される釘の移動射出溝が形成されたコンタクトアームと、トリガの操作に従いコンタクトアームを射出方向に付勢する連結アームを有し、コンタクトアームを被打込み材に接触させながら釘の打ち込みを行う釘打機において、ビットガイドは略Ｖ字状の平板形状であって先端側から左右両側に竿部が分岐して延び、竿部の一方側で連結アームに接続され、コンタクトアームを被打込み材に押し付けた時に、竿部の一方側で射出方向に生ずる付勢力によってコンタクトアームに回転力が作用し、回転力によってビットガイドとコンタクトアームが有する左右方向の隙間のうちいずれかの一方側だけを突き当て、突き当てた際に固定射出溝と移動射出溝が整列するようにした。ビットガイドは、中央部先端が射出方向に突出する略Ｔ字状の形状であって、突出する前記固定射出溝の両側に沿って竿部が配置されるように、コンタクトアームとビットガイドが配置される。
【００１７】
本発明の他の特徴によれば、コンタクトアームに回転力が作用した際に、回転中心より下側においては作用点と同じ側の竿部でコンタクトアームとビットガイドが当接し、回転中心より上側においては作用点と左右方向反対側の竿部でコンタクトアームとビットガイドが当接するようにした。特に、竿部の一方側で射出方向に付勢力が作用した際に、竿部の上側においては付勢力が作用する竿側と反対の側の竿部がビットガイドと当接し、竿部の下側においては付勢力が作用する竿側と同じ側の竿部がビットガイドと当接すると良い。
【００１８】
本発明のさらに他の特徴によれば、竿部の上側において当接する箇所は２箇所であり、竿部の下側において当接する箇所は１箇所であると良い。ビットガイドの固定射出溝の下端付近の左右両側は平行な外壁部を有し、コンタクトアームの竿部の下端付近内側は平行な内壁部を有し、射出時には、付勢力が作用する竿側の内壁と、内壁に対応する外壁が当接する。また、コンタクトアームとビットガイドの間に、お互いが軸方向に離れる方向に付勢するスプリングを設けるようにした。
【発明の効果】
【００１９】
請求項１の発明によれば、コンタクトアームを被打込み材に押し付けた時に、竿部の一方側で射出方向に生ずる付勢力によってコンタクトアームに回転力が作用し、回転力によってビットガイドとコンタクトアームが有する左右方向の隙間のうちいずれかの一方側だけを突き当て、突き当てた際に固定射出溝と移動射出溝が整列するようにしたので、被打込み材の表面に打ち込まれる釘とコンタクトアームによる傷の位置がずれることなく打ち込め、仕上りを良くすることができる。
【００２０】
請求項２の発明によれば、ビットガイドは、中央部先端が射出方向に突出する略Ｔ字状の形状であって、突出する前記固定射出溝の両側に沿って竿部が配置されるように、コンタクトアームとビットガイドが配置されるので、コンタクトアームの先端（下端）を薄くて先絞りの細い形状とすることができて取付部材などの狭い溝内での作業がやりやすく。さらに、安定してコンタクトアームをビットガイドにより摺動可能に保持することができる。
【００２１】
請求項３の発明によれば、コンタクトアームに回転力が作用した際に、回転中心より下側においては作用点と同じ側の竿部でコンタクトアームとビットガイドが当接し、回転中心より上側においては作用点と左右方向反対側の竿部でコンタクトアームとビットガイドが当接するようにしたので、コンタクトアームが基準面となる位置で良好にビットガイドと当接することができ、固定射出溝と移動射出溝の精度の良い位置合わせが可能となる。
【００２２】
請求項４の発明によれば、竿部の一方側で射出方向に付勢力が作用した際に、竿部の上側においては付勢力が作用する竿側と反対の側の竿部がビットガイドと当接し、竿部の下側においては付勢力が作用する竿側と同じ側の竿部がビットガイドと当接するので、回転方向に抗する当接点で良好に保持することができるので、固定射出溝と移動射出溝の精度の良い位置合わせが可能となる。
【００２３】
請求項５の発明によれば竿部の上側において当接する箇所は２箇所であり、竿部の下側において当接する箇所は１箇所であるので、当接する面の平面度に左右されずに、良好に固定射出溝と移動射出溝の位置合わせをすることができる。
【００２４】
請求項６の発明によればビットガイドの固定射出溝の下端付近の左右両側は平行な外壁部を有し、コンタクトアームの竿部の下端付近内側は平行な内壁部を有し、射出時には、付勢力が作用する竿側の内壁と、内壁に対応する外壁が当接するので、左右方向にガタが生じにくく、取付剛性が高いコンタクトアームを実現できる。
【００２５】
請求項７の発明によれば、コンタクトアームの付勢力の作用する竿部とビットガイドの間に、お互いが軸方向に離れる方向に付勢するスプリングを設けたので、スプリングの付勢力によってコンタクトアームとビットガイドの当接状態を良好に保持することができる。
【００２６】
本発明の上記及び他の目的ならびに新規な特徴は、以下の明細書の記載及び図面から明らかになるであろう。
【発明を実施するための最良の形態】
【００２７】
以下、本発明の実施の形態を図面に基づいて説明する。以下の図において、同一の部分には同一の符号を付し、繰り返しの説明は省略する。尚、本明細書においては、図１で示す方向を上下及び前後方向と定義して説明し、図４（２）で示す方向を左右方向と定義して説明する。
【００２８】
図１は、本発明の実施形態に係る釘打機の全体を示す側面図であり、一部にその断面を示す。図２は図１の反対側からみた部分側面図である。釘打機１は、圧縮エアによってシリンダ２０内を往復動して連結された釘の先端を打ち出すピストン１４と、ピストン１４に連結されたドライバブレード１８を含む打撃駆動手段を有する。打撃駆動手段はハウジング１１に内蔵され、ハウジング１１には、その端部から下方に突出して装設され、無頭釘８を打ち出す射出部２６と、ハウジング１１に直交状に装設されたハンドル１５と、ハンドル１５にほぼ平行に配置され、連結釘を収納し、射出部２６内に一本ずつ連結釘を供給するマガジン２が設けられる。
【００２９】
ハンドル１５のハウジング１１との取付部付近には、釘打機１の打込み動作を制御するスイッチ２３が配設され、スイッチ２３の近傍には、ハンドル１５を保持する作業者の手の指で引き操作されるトリガ３が設けられる。コンタクトアーム５は、ビットガイド１２の下方に位置し、ビットガイド１２によって上下摺動可能に支持され、上方は往復動可能な連結アーム６に接続される。連結アーム６の上端部６２はトリガ３近傍まで伸び、コンタクトアーム５と連結アーム６は一体となって上下方向に摺動可能とされる。コンタクトアーム５の下端部（先端部）には、打ち出される無頭釘を案内するための後述する射出溝が設けられる。
【００３０】
トリガ３は、回動軸２２を支点として回動操作が可能なごとくハウジング１１に枢支され、スイッチ２３の中央部には、下方に突出し上下に摺動可能に支持されたプランジャ４が位置する。プランジャ４が下死点（伸びた状態）にある時は、釘打機１はＯＦＦ状態を保ち、プランジャ４が下死点から上死点（縮んだ状態）に移動する過程においてスイッチ２３がＯＮとなり、釘打機１の打ち込み動作が開始される。トリガ３には、一端がトリガ３に設けた枢支部２４に枢支されたトリガアーム１９が設けられ、反対のトリガアーム１９の自由端部は連結アーム６の上端部６２と係合する位置に設けられ、ほぼ中央部においてプランジャ４の先端と当接する。
【００３１】
無頭釘８は、図８（２）にそのうちの１本を示すように、長さが約１０ｍｍ〜６０ｍｍで、軸径が０．６〜０．７ｍｍであり、軸径が非常に細く、釘頭径が釘の軸径と同じである。このピン状の釘が接着剤等で１００本程度並列に連結され、無頭釘８としてマガジン２にセットされる。
【００３２】
図２は、本発明の実施形態に係る釘打機の図１とは反対側からの側面図である。図２において、連結アーム６は、その下端がコンタクトアーム５の上端付近に固定され、連結アーム６の上端部６２がトリガ３の近傍まで延びる。
【００３３】
図３は、図１の射出部２６及びマガジン２の断面図である。マガジン２は、無頭釘８を移動させる給送部材（図示せず）を有し、給送部材はスプリングによって前方（ブレードガイド１２側）に付勢される。釘打機１には、ハウジング１１に固定され下方に延びるビットガイド１２が配設され、ビットガイド１２には無頭釘８を案内する給送路と、先頭の無頭釘８を案内する固定射出溝３６が形成される。
【００３４】
次に、本実施形態による釘打機の動作について説明する。図１において、作業者はコンタクトアーム５の下端部を被打込材９の表面に軽く当てる。次に、作業者は釘打機１を起動させるべくトリガ３を引く。トリガ３の引き操作によりトリガ３がスイッチ２３側に回動する。これによりトリガアーム１９の枢支部２４が後方に移動するためトリガアーム１９の中央部がスイッチ２３のプランジャ４の先端に当接する。この結果、プランジャ４先端部が支点となり、枢支部２４が力点となってトリガアーム１９の自由端部が連結アーム６の上端部６２を押し下げようとする（下方に移動させようとする）。しかしコンタクトアーム５の下端部は被打込み材９に当接しているため、コンタクトアーム５が押し下げられず上端部６２の下方への移動が阻止される。この移動阻止によってコンタクトアーム５が下方に移動しないため、トリガ３の引き操作に伴いプランジャ４がトリガアーム１９のほぼ中央部によって押し上げられ、スイッチ２３がＯＮになり、圧縮空気の作用によってピストン１４が移動し、ピストン１４に取り付けられるドライバブレード１８が急激に下方に移動することによって、無頭釘８が打ち込まれる。尚、圧縮空気の作用によってドライバブレード１８を移動させる機構は公知であるので、ここでは説明を省略する。
【００３５】
図４は、図１の射出部２６の、上側ガイドプレート１０及び下側ガイドプレート２５を外した状態を示す図で、前側から見た正面図である。図４（１）においては、コンタクトアーム５は連結アーム６の下端部６１と１箇所で固定され、この図では、連結アーム６によってコンタクトアーム５が下方に押し出されている状態を示している。ビットガイド１２には固定射出溝３６が形成され、ビットガイド１２にネジ止される上側ガイドプレート１０と固定射出溝３６によって無頭釘８を案内する固定射出路が画定される。コンタクトアーム５の下端部５１には移動射出溝３７が形成され、移動射出溝３７の下端（図では下側の端部）が射出口３１となる。コンタクトアーム５には下側ガイドプレート２５がネジ止めされ、下側ガイドプレート２５と移動射出溝３７によって無頭釘８を案内する移動射出路が画定される。ここで、移動射出溝とは、上下方向に移動する部材（コンタクトアーム５）によって形成された射出溝という意味であり、固定射出溝とは、上下方向に移動しない部材（ビットガイド１２）によって形成された射出溝という意味である。コンタクトアーム５はビットガイド１２との間に設けられたスプリング１７によって常時上側（コンタクトアーム５がシリンダ２０に近づく方向）に押圧されており、スプリング１７の荷重は、プランジャ４のスプリング６３(図３)とプランジャ４に加わる圧力により下方に押圧される荷重よりも小さく設定される。
【００３６】
図４（２）はコンタクトアーム５の形状を説明するための図である。コンタクトアーム５は、（１）略三角状である下端部５１、（２）下端部３１から分岐し対抗する内壁がほぼ並行に上側に延び、コンタクトアーム５の中央部に位置する左側中央竿５２ａと右側中央竿５２ｂ、及び、（３）コンタクトアーム５の中央部に位置し、左側中央竿５２ａと右側中央竿５２ｂから上側に延びる左側案内竿５３ａと右側案内竿５３ｂ、の３つの部分により構成され、正面視で略Ｖ字状の形状である。コンタクトアーム５の内壁側は、主に突出部５４ａ、５４ｆ、５４ｇ及び平行な内壁５４ｃ、５４ｄでビットガイド１２の外壁と接触し、ビットガイド１２に上下摺動可能に支持される。ビットガイド１２の案内凸部１２ａと１２ｂは、コンタクトアーム５の直線状の内壁５４ｂ、５４ｅに対向して配置されるが、これらは摺動のために接触させる必要は無く、案内凸部１２ｂの上面が突出部５４ｆと当接することによって、コンタクトアーム５の上下方向の摺動範囲を規定するストッパーの役割をする。
【００３７】
コンタクトアーム５は下端部５１に移動射出溝３７と、その両側にドライバブレード１８を案内するための２本の案内溝３８が形成される。ビットガイド１２の足受け部２７付近においては、コンタクトアーム１２の内壁５４ｃと５４ｄが、ビットガイド１２の外壁と当接する。この接触は、がたつきを防止するために全く隙間を隔てないようにするのが理想的であるが、隙間がないと摺動できないので、スムーズに摺動させるために必要最小限の隙間を隔てて配置される。
【００３８】
コンタクトアーム５は、左側案内竿５３ａの上端付近において長方形の切り欠き５５が形成され、この切り欠き５５に連結アーム６の下端部６１が嵌挿される。従って、コンタクトアーム５には、この切り欠き５５において下方向の力が作用するため、ある一点（回転中心）を中心として回転力が働くことになる。
【００３９】
図５は、コンタクトアーム５に作用する回転力と、それによって作用する力点を説明するための図である。図５（１）において、連結アーム６から矢印６５の様な力を受けると、コンタクトアーム５は矢印６６のように回転力が働く。本実施形態では、その場合、矢印５７ａ〜５７ｃの３箇所において力が作用して、その作用する箇所でコンタクトアーム５とビットガイド１２を良好に当接もしくは密着させるようにした。つまり、回転中心より下側においては作用点と同じ側の竿部（案内竿と中央竿）でコンタクトアーム５とビットガイド１２が良好に当接し、回転中心より上側においては作用点と反対側でコンタクトアーム５とビットガイド１２が良好に当接する。本実施形態では、このように矢印５７ａ〜５７ｃの方向に力が作用して接触した場合に、固定射出溝３６と移動射出溝３７が真っ直ぐに整列して位置するように構成した。このため、無頭釘８の射出時にはかならず図５（１）の状態になるため、固定射出溝３６と移動射出溝３７の軸線がぴったり一致し、射出溝の傾きを有効に防止することができる。
【００４０】
図５（２）は、比較のためにコンタクトアーム５が矢印６６（図４（２））と反対方向に回転した状態を示す仮想図である。ここでは図示の関係上、及び、理解を容易にするため、コンタクトアーム５の保持アーム５４、案内アーム５５の間隔を広げて模式的に描いている。コンタクトアーム５に矢印６７に示す逆方向の回転力が働き、その回転中心が矢印６７付近の場合、矢印５８ａ〜５８ｃの３箇所でコンタクトアーム５とビットガイド１２が当接する。この場合、本実施例の構成では、固定射出溝３６と移動射出溝３７の軸線は、角度θのずれを有することになる。つまり、本実施形態では、図５（１）の矢印６６のような回転力が働いた際に固定射出溝３６と移動射出溝３７の軸線が一致するように構成し、図５（１）のように矢印６７の回転力が働いた際には固定射出溝３６と移動射出溝３７の軸線がずれるように構成した。
【００４１】
しかしながら、実際の打ち込み動作の際には、連結アーム６から矢印６５のような付勢力が常時働いているため、図５（２）のような方向の回転力は働かない。従って、本実施形態では無頭釘８の打ち込み時には必ず図５（１）の状態となり、その結果、固定射出溝３６と移動射出溝３７が真っ直ぐに整列されるため、釘を真っ直ぐに打ち込むことができ、釘の位置決め精度が向上する。また、本実施形態のように構成することにより、コンタクトアーム５とビットガイド１２の間隔を微少にすることにそれほど注力しなくても済むので、コンタクトアーム５をスムーズに摺動させることができる。
【００４２】
図６（１）は、ドライバブレード１８によって無頭釘８を打ち込むときの状態を示す図である。この際には、連結アーム６による付勢力により、矢印６５の方向に力が作用する。この力はコンタクトアーム５の左側案内竿５３ａにだけ作用する。一方、被打込み材９から受ける反力は矢印６６のように、射出溝の軸線上で上方向に作用する。従って、図５（１）の矢印６６と同じ回転力が作用し、矢印５７ａ〜５７ｃの３箇所においてコンタクトアーム５とビットガイド１２が良好に接触するので、固定射出溝３６と移動射出溝３７がきちんと整列され、打ち込まれる無頭釘８の曲がりを防止することができ、安定した釘打ちを行うことができる。
【００４３】
図６（２）は、打ち込み完了の時の状態を示す図である。この状態においても、コンタクトアーム５に作用する力の方向は変化しないので、コンタクトアーム５とビットガイド１２が良好に接触したままである。尚、本実施形態の形状では、コンタクトアーム５の左側案内竿５３ａの上面の突起部５６ａは、ビットガイド１２と接触しているが、右側案内竿５４ｂの上面はビットガイド１２と接触しない。これによって、この接触によってコンタクトアーム５に作用する回転力の方向には変化がなく、矢印５７ａ〜５７ｃの３箇所における接触状態になんら影響を及ぼさないので、安定した釘打ちを行うことができる。
【００４４】
以上の説明から明らかなように、本発明によれば、射出時にコンタクトアームの射出溝がビットガイドの射出溝に対して精度良く整列するので、取付部材の表面に打ち込まれる釘とドライブビットによる傷の位置がずれることなく、釘の曲がりを効果的に防止でき、良好な打ち込みを行うことができる。また、釘の位置ずれが起きないので、釘の打ち込み後の仕上り状態を良くすることができる。
【００４５】
次に、図７を用いて本発明の第二の実施形態を説明する。第二の実施形態は図８（１）で示した従来例の構造において本発明を適用したものである。連結アームの接続点で作用する力の方向は、矢印７１の方向であり、矢印７２に方向に回転力が働く。本実施形態では回転中心（矢印７２付近）より下側においては矢印７３のように作用点と同じ側の竿部でコンタクトアーム１０５とビットガイド１１２が良好に当接し、回転中心より上側においては矢印７４のように作用点と左右反対側でコンタクトアーム１０５とビットガイド１１２が良好に当接し、このような当接状態の時に固定射出溝１３６と移動射出溝１３７が真っ直ぐに整列するようにした。尚、本実施形態では、固定射出溝１３６の下端部付近（矢印７５で指す付近）では、コンタクトアーム１０５とビットガイド１１２は接触していない。しかし、これはその付近でコンタクトアーム１０５とビットガイド１１２と比較的多めの隙間で対向させた構成によるものであって、矢印７３で指す付近の代わりに矢印７５で指す箇所で良好に当接するようにしても良い。
【００４６】
以上説明したように、本発明によれば連結アームの作用によって微少に回転するコンタクトアームが、回転中心の上方においては連結アームの力が作用する側と反対の側で、回転中心の下方においては連結アームの力が作用する側と同じ側でコンタクトアームとビットガイドを良好に接触させるようにし、このように接触させたときに固定射出溝と移動射出溝が真っ直ぐに整列されるので、釘の打ち込み時には必ずこの整列した状態となるので、長い釘であっても真っ直ぐ打ち込むことができる。
【００４７】
以上、本発明を示す実施形態に基づき説明したが、本発明は上述の形態に限定されるものではなく、その趣旨を逸脱しない範囲内で種々の変更が可能である。例えば、本実施形態ではコンタクトアーム５の左側案内竿５３ａにおいて連結アーム６と接合したが、これを右側案内竿５３ａとしてもよい。その場合は、接触点が固定射出溝３６と移動射出溝３７の中心軸と線対称の構成とすればよい。
【００４８】
また、本実施形態ではコンタクトアームの回転中心が、上下方向の中央付近にある例を説明したが、回転中心がコンタクトアームの上端付近または下端付近に有る場合でも同様に適用できる。その場合は、上端付近に有る場合は、連結アームの力が作用する側と同じ側でコンタクトアームとビットガイドを良好に接触させるようにし、下端付近にある場合は連結アームの力が作用する側と反対側でコンタクトアームとビットガイドを良好に接触させるようにすれば良い。
【００４９】
さらに、本実施形態では釘打機の動力源として圧縮空気を用いたが、本発明は圧縮空気だけでなく、電気モータ、内燃機関、ガス等種々のものが動力源として利用可能である。また、無頭釘用の釘打機だけでなく、コンタクトアームを用いる電動工具であれば本願発明を広く適用できる。
【図面の簡単な説明】
【００５０】
【図１】本発明の実施形態に係る釘打機の全体を示す側面図であり、一部にその断面を示す。
【図２】本発明の実施形態に係る釘打機の部分側面図であり、図１と反対側の側面からみた図である。
【図３】図１の射出部２６及びマガジン２の取付部分の部分断面図である。
【図４】図１の射出部２６の、上側ガイドプレート１０及び下側ガイドプレート２５を外した状態を示す側面図である。
【図５】コンタクトアーム５に作用する回転力と、それによって作用する力点を説明するための図であり、（１）はコンタクトアーム５に時計回りの回転力が生じた際の状態を示す図で、（２）はコンタクトアーム５に時計回りの回転力が生じた際の状態を示す図である。
【図６】本発明の実施形態に係る釘打機において、無頭釘８の打ち込み時の状態を説明するための図であり、（１）は打ち込み途中の状態を示し、（２）は打ち込み完了時の状態を示す。
【図７】本発明の第２の実施形態に係るコンタクトアーム１０５に作用する回転力と、それによって作用する力点を説明するための図である。
【図８】（１）は従来例による射出部を示す正面図であり、射出部の上側ガイドプレート及び下側ガイドプレートを外した状態を示し、（２）は無頭釘の形状を示す斜視図である。
【図９】従来例による釘打機の射出部の拡大図であり、ガイドプレートとコンタクトアームの傾き状態を説明するための図である。
【符号の説明】
【００５１】
１  釘打機      ２  マガジン      ３  トリガ      ４  プランジャ
５  コンタクトアーム      ６  連結アーム      ８  無頭釘
９  被打込み材      １０  上側ガイドプレート      １１  ハウジング
１２  ビットガイド      １２ａ、１２ｂ  案内凸部
１３  給送部材      １４  ピストン      １５  ハンドル
１７  スプリング      １８  ドライバブレード      １９  トリガアーム
２２  回動軸      ２３  スイッチ      ２４  枢軸部      
２５  下側ガイドプレート      ２６  射出部      ２７  足受け部
３１  射出口
３６  固定射出溝      ３７  移動射出溝      ３８  案内溝
５１  （コンタクトアームの）下端部
５２ａ  （コンタクトアームの）左側案内竿
５２ｂ  （コンタクトアームの）右側案内竿
５３ａ  （コンタクトアームの）左側中央竿
５３ｂ  （コンタクトアームの）右側中央竿
５４ａ、５４ｆ、５４ｇ  突出部      ５４ｂ、５４ｃ、５４ｄ、５４ｅ  内壁
５５  （コンタクトアームの）切り欠き      ５６ａ  上側突出部
５６ｂ  右側中央竿の上端壁      ６１  （連結アームの）上端部      
６２  （連結アームの）上端部      ６３  スプリング
１０５  コンタクトアーム      １１２  ビットガイド
１１７  スプリング      ５５  （コンタクトアームの）切り欠き  
１３６  固定射出溝      １３７  移動射出溝
１６１、１６２、１６３、１６４  隙間
【図１】
2010064235.tif 000003
【図２】
2010064235.tif 000004
【図３】
2010064235.tif 000005
【図４】
2010064235.tif 000006
【図５】
2010064235.tif 000007
【図６】
2010064235.tif 000008
【図７】
2010064235.tif 000009
【図８】
2010064235.tif 000010
【図９】
2010064235.tif 000011